(57)【要約】【課題】  粉状或は粒状の肥料を安全かつ迅速に、また作業者に負担を掛けることなく施肥機等に移載できるし、産業廃棄物を排出しないのでコストの削減と資源保護にもなり、またコンテナから必要量を移載することも可能な肥料配送用コンテナ装置を提供する。【解決手段】  コンテナ１１を傾転する移載手段１は基台２と、基台２の一側に軸支され、油圧シリンダ６により起伏可能な可動支持台４と、基台２の一側に設けたホッパー３とから構成してある。可動支持台４に接離可能に搭載するコンテナ１１はコンテナ本体１２と、コンテナ本体１２の一側面に設けられ、ホッパー３に向けて開口する開閉可能な排出口１３Ａとから構成してある。【選択図】  図３
0003170495.tif 000002
【実用新案登録請求の範囲】
【請求項１】
移載手段と、該移載手段に接離可能に搭載され、傾転することにより収容した肥料を排出するコンテナとからなり、前記移載手段は基台と、該基台の一側に軸支され、駆動手段により起伏可能な可動支持台と、該可動支持台又は基台の一側に設けたホッパーとから構成し、前記コンテナはコンテナ本体と、該コンテナ本体の一側面に設けられ、前記ホッパーに向けて開口する開閉可能な排出口とから構成してなる肥料配送用コンテナ装置。
【請求項２】
移載手段と、該移載手段に接離可能に搭載され、傾転することにより収容した肥料を排出するコンテナとからなり、前記移載手段は基台と、該基台の一側に回動可能に軸支したコンテナ支持体と、該コンテナ支持体又は基台の一側に設けたホッパーと、前記基台に配設され、前記コンテナを傾転させる傾転手段とから構成し、前記コンテナはコンテナ本体と、該コンテナ本体の一側面に設けられ、前記ホッパーに向けて開口する開閉可能な排出口とから構成してなる肥料配送用コンテナ装置。
【請求項３】
前記基台又はホッパーに、前記コンテナから排出される肥料を外部に排出するコンベア手段を着脱可能に設けてあることを特徴とする請求項１又は２記載の肥料配送用コンテナ装置。
【請求項４】
前記可動支持台に、前記コンテナから排出する肥料を前記ホッパーに誘導する肥料誘導体を設けてあることを特徴とする請求項１又は２記載の肥料配送用コンテナ装置。
【請求項５】
前記基台の一側に、転倒防止体を設けてあることを特徴とする請求項１又は２記載の肥料配送用コンテナ装置。
【請求項６】
前記コンテナは折畳み可能に構成してある請求項１又は２記載の肥料配送用コンテナ装置。
【考案の詳細な説明】
【技術分野】
【０００１】
本考案は、粉状或いは粒状の肥料を運搬し、配送先で容易に、かつ安全に分配機等に移載することができるようにした肥料配送用コンテナ装置に関する。
【背景技術】
【０００２】
農家が使用する肥料は肥料メーカーから組合を経由して各農家に配送しているが、この肥料の配送には合成繊維を編成したシートで形成した通称フレコンパックと呼ばれる大型袋を使用するか、或いはポリエチレン等の合成樹脂製の小型袋を使用し、消費量の多い農家にはフレコンパックで配送し、消費量の少ない農家には小型袋で配送している。そして、農家は配送されたフレコンパックや小型袋から肥料をプランター等の施肥機に移載している。
【特許文献１】なし
【考案の開示】
【考案が解決しようとする課題】
【０００３】
ところで、肥料を収容したフレコンパックは重量が５００ｋｇにもなるため、肥料を施肥機等に移載する場合は、クレーンやユニックでフレコンパックを吊上げた状態にしてパックシュータや分配機を取着し、作業者がフレコンパックの下側に入り込んでフレコンパックを刃物で開封して肥料を落下させるという作業を行っている。しかし、この作業は作業者がフレコンパックの下側で作業を行うことから、吊り下げが確実でないとフレコンパックが落下するといった事態や作業者が飛散する肥料を被るといった危険性がある。また、フレコンパックは一旦開封したら、収容している肥料の全量がホッパー等に落下するため、必要量だけを供給することができないという欠点がある。
【０００４】
また、小型袋でも肥料を収容した重量は２０ｋｇあり、特に施肥量の多い作物の場合には１日に約３００〜５００袋もの数を扱うことから、過大な労働力が要求されているし、農作業者の高齢化、少子化が進む中では身体的に大きな負担になっている。
【０００５】
更に、一旦開封したフレコンパック及び小型袋は再使用できないために産業廃棄物として処理しなければならず、処理費が毎年発生することは農産物のコスト削減の障害でもあるし、資源保護の観点からも何らかの解決が必要である。
【０００６】
本考案は上述した従来技術の諸欠点に鑑みなされたもので、粉状或は粒状の肥料を安全かつ迅速に、また作業者に負担を掛けることなく施肥機に移載することができるし、産業廃棄物を排出しないのでコストの削減と資源保護にもなり、またコンテナから必要量を移載することも可能な肥料配送用コンテナ装置を提供することを目的とする。
【課題を解決するための手段】
【０００７】
上述した課題を解決するために構成された請求項１に係る本考案の手段は、移載手段と、該移載手段に接離可能に搭載され、傾転することにより収容した肥料を排出するコンテナとからなり、前記移載手段は基台と、該基台の一側に軸支され、駆動手段により起伏可能な可動支持台と、該可動支持台又は基台の一側に設けたホッパーとから構成し、前記コンテナはコンテナ本体と、該コンテナ本体の一側面に設けられ、前記ホッパーに向けて開口する開閉可能な排出口とから構成したことにある。
【０００８】
また、請求項２に係る本考案の手段は、移載手段と、該移載手段に接離可能に搭載され、傾転することにより収容した肥料を排出するコンテナとからなり、前記移載手段は基台と、該基台の一側に回動可能に軸支したコンテナ支持体と、該コンテナ支持体又は基台の一側に設けたホッパーと、前記基台に配設され、前記コンテナを傾転させる傾転手段とから構成し、前記コンテナはコンテナ本体と、該コンテナ本体の一側面に設けられ、前記ホッパーに向けて開口する開閉可能な排出口とから構成してある。
【０００９】
また、前記基台又はホッパーに、前記コンテナから排出される肥料を外部に排出するコンベア手段を着脱可能に設けるとよい。
【００１０】
更に、前記可動支持台に、前記コンテナから排出する肥料を前記ホッパーに誘導する肥料誘導体を設けるとよい。
【００１１】
また、前記基台の一側に、転倒防止体を設けるとよい。
【００１２】
また、前記コンテナは折畳み可能に構成したものであるとよい。
【考案の効果】
【００１３】
本考案は上述の如く構成したから、下記の諸効果を奏する。
（１）肥料を収容したコンテナを移載手段により傾斜させるだけで肥料を施肥機等に移載することができるから、従来のフレコンパックは不要にできて肥料の移載作業を安全に、かつ迅速に効率良く行うことができる。
（２）作業者に身体的負担がないので、高齢化と少子化を迎えた営農家にとって極めて有用である。
（３）コンテナの傾斜角度を制御することにより、必要量だけの肥料を移載することができる。
（４）移載手段を構成する基台に転倒防止体を設けたから、傾転したコンテナの重心移動による転倒を確実に防止し、作業の安全性を確保することができる。
（５）フレコンパック等の産業廃棄物を排出しないので、コストの削減と資源保護に資することができる。
【図面の簡単な説明】
【００１４】
【図１】図１乃至図３は本考案の第１の実施の形態に係り、図１は肥料配送用コンテナ装置の一部を破断した側面図である。
【図２】移載手段の平面図である。
【図３】コンテナを傾斜させた状態を示す側面図である。
【図４】第２の実施の形態に係る肥料配送用コンテナ装置の移載手段の斜視図である。
【図５】図５及び図６は第３の実施の形態に係り、図５は肥料配送用コンテナ装置の側面図である。
【図６】コンテナを傾斜させた状態を示す側面図である。
【考案を実施するための形態】
【００１５】
以下、本考案の実施の形態を図面に基づき詳述する。図１乃至図３は第１の実施の形態を示す。図において、１は移載手段、２は該移載手段１を構成し、鋼材からなる基台を示し、該基台２は前後に長方形の枠体２Ａと、該枠体２Ａの四隅に設けた支持脚２Ｂ、２Ｂ、・・と、該支持脚２Ｂ、２Ｂ間に架設した縦連結材２Ｃ、２Ｃと、前側支持脚２Ｂ、２Ｂ間に架設した前連結材２Ｄと、縦連結材２Ｃ、２Ｃ間に架設した補強材２Ｅ、２Ｅとから構成してある。
【００１６】
３は前記基台２の長手方向一側である前端に設けたホッパーで、該ホッパー３は鋼材で横長四角形に形成した支持枠体３Ａと、上縁が後下りに傾斜し、下側面が下窄まりに傾斜した平面略四角形のホッパー本体３Ｂと、該ホッパー本体３Ｂの下端に形成され、閉止板３Ｃによって開閉可能な排出口３Ｄとから構成してある。
【００１７】
４は基台２上に設けた可動支持台を示す。該可動支持台４は、鋼材によって基台２と略同形の長方形に形成した可動枠体４Ａと、該可動枠体４Ａ内に前後方向に架設した補強材４Ｂ、４Ｂと、可動枠体４Ａの前端に立設した略冂字状のコンテナ受け体４Ｃとから側面略倒置Ｌ字状に構成してある。そして、補強材４Ｂ、４Ｂの下面に突設した連結片４Ｄを基台２の前連結材２Ｄに設けた支持軸４Ｅに連結することにより、可動支持台４は基台２の前端寄りの位置で矢示イ、ロ方向に回動可能に軸支されている。
【００１８】
５は前記コンテナ受け体４Ｃの外側に設けられ、後述するコンテナ１１から排出される肥料をホッパー３に確実に落下させるための肥料誘導体で、該肥料誘導体５は平面略ハ字状に、かつ下側が内向きに傾斜した状態で前方に突出する一対の側板５Ａ、５Ａと、該側板５Ａ、５Ａの先端に下側を内向きに傾斜させて連結した前板５Ｂと、該前板５Ｂに略冂状に形成した流出口５Ｃと、前板５Ｂに対面して内向きに傾斜する後板５Ｄとから構成してある。なお、肥料誘導体は、例えば織布或いは合成樹脂製シートによって筒状に形成し、可動支持台４のコンテナ受け体４Ｃに係着してもよい。
【００１９】
６、６は可動支持台４を起伏させる駆動手段としての一対の油圧シリンダを示し、該一対の油圧シリンダ６、６は基台２の縦連結材２Ｃ、２Ｃ間に架設した受け材６Ａと可動支持台４の補強材４Ｂとの間に連結してある。そして、該油圧シリンダ６が伸縮することにより、可動支持台４は支持軸４Ｅを中心にして矢示イ、ロ方向に起伏し、コンテナ１１を約４０度の角度まで傾斜させるようになっている。
【００２０】
なお、油圧シリンダ６に代えて可逆モータとギアで構成した駆動手段、エアポンプとエアバッグで構成した駆動手段、或はスクリュウジャッキからなる駆動手段を用いてもよい。
【００２１】
７はホッパー３に排出した肥料を分配機側に搬出するためのスクリューコンベアで、該スクリューコンベア７は下端側がホッパー３の排出口３Ｄに連通したガイド筒７Ａと、該ガイド筒７Ａ内に回転可能に設けたスクリュー７Ｂと、ガイド筒７Ａの上端側に設けられ、該スクリュー７Ｂを回転駆動するモータ７Ｃとから構成してある。そして、スクリューコンベア７はホッパー３の支持体３Ａに着脱可能に設けてある。なお、スクリューコンベアに替えてバケットコンベアを用いてもよい。
【００２２】
本実施の形態に係る移載手段１は上述の構成からなるが、次に、可動支持台４に接離可能に搭載するコンテナ１１について説明する。１２は該コンテナ１１を構成するコンテナ本体で、該コンテナ本体１２は長方形のパレット部１２Ａと、該パレット部１２Ａの外縁に立設した前面部１２Ｂ、後面部１２Ｃ（但し、図示せず。）及び一対の側面部１２Ｄ、１２Ｄとから上方が開放した従来のコンテナと同様の箱型に構成してあり、各前面部１２Ｂ、後面部１２Ｃ、側面部１２Ｄは下端をパレット部１２Ａに内側に回動可能に軸支することにより折畳み可能に構成してある。
【００２３】
なお、コンテナ本体１２は鋼材と金網で構成してあるから、コンテナ本体１２に肥料を収容する場合、合成樹脂製シートで箱型に形成した収容袋をコンテナ１１に内装する。収容袋は使い捨ても可能であるが、資源保護の観点から密閉可能な開口部を形成したものにして繰り返し使用可能にするとよい。また、コンテナ本体には、鋼材で形成した箱型枠部内に合成樹脂製パネルを内張りして構成することにより、収容袋を使用しないタイプのものを用いてもよい。
【００２４】
１３は前記コンテナ本体１２の前面部１２Ｂの下部に設けた排出口で、該排出口１３は、前面部１２Ｂに形成した開口部１３Ａと、コンテナ本体１２に上下方向に摺動可能に設けられ、該開口部１３Ａを開閉するシャッター１３Ｂとから構成してある。
【００２５】
本実施の形態に係る肥料配送用コンテナ装置は上述の構成からなるが、次にその作用について説明する。移載手段１はトラックに搭載し、収容袋を内装したコンテナ１１を可動支持台４に搭載する。そして、肥料工場で肥料を充填したコンテナ１１はトラックにより流通経路を経て農家に配送する。
【００２６】
農家では、トラックに搭載した状態でコンテナ１１のホッパー３にスクリューコンベア７を立設し、図示しない分配機に供給する状態に設定する。そして、コンテナ１１のシャッター１３Ｂを引き上げて排出口１３の開口部１３Ａを開放し、収容袋を開封した後、油圧シリンダ６を始動して可動支持台４を序々に起立させ、傾斜するコンテナ１１内から肥料を肥料誘導体５を介してホッパー３に流入させる。ホッパー３内の肥料はスクリューコンベア７によって上昇させ、分配機等に供給する。
【００２７】
上述の如く、本実施の形態によれば、肥料をコンテナ１１によって農家に輸送し、トラックに搭載した状態で可動支持台４により傾斜させたコンテナ１１から肥料をホッパー３に排出し、分配機に移載するようにしたから、従来技術と比較して作業効率を格段に高めることができる。また、従来技術のフレコンパックの使用を無くしたから危険な作業を皆無にすることができる。
【００２８】
更に、従来は肥料の配送毎にフレコンパックを産業廃棄物として処理していたが、フレコンパックの費用及びこれを廃棄処分する費用を実質的に無くすことができるし、資源保護の問題も解決することができる。
【００２９】
次に、図４は第２の実施の形態を示す。なお、本実施の形態及び後述する他の実施の形態において第１の実施の形態の構成要素と同一の構成要素には同一の符号を付して援用し、その詳細は省略する。本実施の形態の特徴とするところは、ホッパー２１を基台２に替えて可動支持台４に設けたことにある。該ホッパー２１は平面略ハ字状に、かつ下側が内向きに傾斜した状態で前方に突出する一対の側板２１Ａ、２１Ａと、該側板２１Ａ、２１Ａの先端に下側が内向きに傾斜して連結した前板２１Ｂと、該前板２１Ｂに略冂状に形成した流出口（但し、図示せず。）とから構成してある。そして、流出口に連通した状態で上記ホッパー２１にスクリューコンベア７が着脱可能に設けてある。
【００３０】
また、２２、２２は基台２の前側支持脚２Ｂ、２Ｂ設けた一対の転倒防止体を示す。該転倒防止体２２、２２は略三角形の金属板からなり、一辺側を支持脚２Ｂに軸支して矢示ハ方向に回動可能に設けることにより、使用時には基台２から前方に突出するようにしてある。
【００３１】
本実施の形態では、第１の実施の形態と異なって基台２の前方にホッパー支持体３Ａを突設していない。そこで、上記転倒防止体２２、２２を基台２に設け、移載作業時には基台２の前方に突出した状態で接地させておくことにより、傾転したコンテナ１１内の肥料が前方に流動して重心が前方に急に移動し、可動支持台４が起き上って基台２が転倒する危険を防止するものである。
【００３２】
本実施の形態によれば、可動支持台４にホッパー２１を設けたから、コンテナ１１からの肥料の供給を速やかに行うことができるし、移載手段の小型化と軽量化を図ることができる。また、基台２に転倒防止体２２、２２を設けたから、コンテナ１１を傾転させても安全性を確保することができる。
【００３３】
次に、図５及び図６は第３の実施の形態を示す。図において、３１は移載手段、３２は該移載手段３１を構成し、基台２の一側に回動可能に軸支したコンテナ支持体を示す。該コンテナ支持体３２は鋼材を四角形の枠状に組んだコンテナ支持部３２Ａと、該コンテナ支持部３２Ａの前後方向に架設した一対の補強材３２Ｂ、３２Ｂ（但し、図示せず。）と、コンテナ支持部３２Ａの先端から直角に起立した略冂字状のコンテナ受け部３２Ｃと、コンテナ支持部３２Ａから下方に突設した連結片３２Ｄとから構成してある。そして、前記補強材３２Ｂ、３２Ｂを基台２に設けた支持軸３２Ｅに連結することにより、可動支持台４と同様に回動可能になっている。
【００３４】
３３は基台２とコンテナ１１との間に配置した傾転手段としてのエアバッグを示す。該エアバッグ３３は上下両面３３Ａ、３３Ｂは平坦面に形成し、側面３３Ｃは先端側３３Ｃ１に対して後端側３３Ｃ２が上下方向に伸縮し、また後面３３Ｄも上下方向に伸縮するように形成することにより、エアバッグ３３は楔状に膨張してコンテナ１１を傾転させるようになっている。そして、エアバッグ３３にはエア供給管３４を介して図示しないエアポンプから加圧空気を吹き込むようにしてある。なお、エアバッグ３３は例えば配送用トラックのブレーキ制動用空気圧縮機によって膨張させる構成にすることができる。
【００３５】
本実施の形態によれば、コンテナ支持体３２及びエアバッグ３３を用いることにより、コンテナ１１を直接傾転させる構成にしたから、第１の実施の形態に係る移載手段１より構成を簡略化できるし、軽量化することができる。また、油圧機器の操作に比べて操作性が容易である。
【００３６】
なお、エアバッグ３３に替えて油圧シリンダを基台２に配設し、コンテナ１１を直接傾転させるようにすることもできる。
【符号の説明】
【００３７】
１、３１  移載手段
２        基台
３、２１  ホッパー
４        可動支持台
６        油圧シリンダ（駆動手段）
７        スクリューコンベア（コンベア手段）
１１      コンテナ
１２      コンテナ本体
１３      排出口
２２      転倒防止体
３２      コンテナ支持体
３３      エアバッグ（傾転手段）
【図１】
0003170495.tif 000003
【図２】
0003170495.tif 000004
【図３】
0003170495.tif 000005
【図４】
0003170495.tif 000006
【図５】
0003170495.tif 000007
【図６】
0003170495.tif 000008
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
移載手段と、該移載手段に接離可能に搭載され、傾転することにより収容した肥料を排出するコンテナとからなり、前記移載手段は基台と、該基台の一側に軸支され、駆動手段により起伏可能な可動支持台と、該可動支持台又は基台の一側に設けたホッパーとから構成し、前記コンテナはコンテナ本体と、該コンテナ本体の一側面に設けられ、前記ホッパーに向けて開口する開閉可能な排出口とから構成してなる肥料配送用コンテナ装置。
【請求項２】
移載手段と、該移載手段に接離可能に搭載され、傾転することにより収容した肥料を排出するコンテナとからなり、前記移載手段は基台と、該基台の一側に回動可能に軸支したコンテナ支持体と、該コンテナ支持体又は基台の一側に設けたホッパーと、前記基台に配設され、前記コンテナを傾転させる傾転手段とから構成し、前記コンテナはコンテナ本体と、該コンテナ本体の一側面に設けられ、前記ホッパーに向けて開口する開閉可能な排出口とから構成してなる肥料配送用コンテナ装置。
【請求項３】
前記基台又はホッパーに、前記コンテナから排出される肥料を外部に排出するコンベア手段を着脱可能に設けてあることを特徴とする請求項１又は２記載の肥料配送用コンテナ装置。
【請求項４】
前記可動支持台に、前記コンテナから排出する肥料を前記ホッパーに誘導する上方が開放した略三角形状又は筒状の肥料誘導体を設けてあることを特徴とする請求項１又は２記載の肥料配送用コンテナ装置。
【請求項５】
前記基台の前側支持脚に一辺側を回動可能に軸支し、使用時には該基台から前方に突出するようにした略三角形の板からなる転倒防止体を設けてあることを特徴とする請求項１又は２記載の肥料配送用コンテナ装置。
【請求項６】
前記コンテナを構成するコンテナ本体は、パレット部と、該パレット部の外縁に立設した前面部、後面部及び一対の側面部とから上方が開放した箱型に構成し、該前面部、後面部、側面部は下端を前記パレット部に軸支することにより内側に折畳み可能に構成してある請求項１又は２記載の肥料配送用コンテナ装置。
【手続補正２】
【補正対象書類名】明細書
【補正対象項目名】全文
【補正方法】変更
【補正の内容】
【考案の詳細な説明】
【技術分野】
【０００１】
本考案は、粉状或いは粒状の肥料を運搬し、配送先で容易に、かつ安全に分配機等に移載することができるようにした肥料配送用コンテナ装置に関する。
【背景技術】
【０００２】
農家が使用する肥料は肥料メーカーから組合を経由して各農家に配送しているが、この肥料の配送には合成繊維を編成したシートで形成した通称フレコンパックと呼ばれる大型袋を使用するか、或いはポリエチレン等の合成樹脂製の小型袋を使用し、消費量の多い農家にはフレコンパックで配送し、消費量の少ない農家には小型袋で配送している。そして、農家は配送されたフレコンパックや小型袋から肥料をプランター等の施肥機に移載している。
【特許文献１】なし
【考案の開示】
【考案が解決しようとする課題】
【０００３】
ところで、肥料を収容したフレコンパックは重量が５００ｋｇにもなるため、肥料を施肥機等に移載する場合は、クレーンやユニックでフレコンパックを吊上げた状態にしてパックシュータや分配機を取着し、作業者がフレコンパックの下側に入り込んでフレコンパックを刃物で開封して肥料を落下させるという作業を行っている。しかし、この作業は作業者がフレコンパックの下側で作業を行うことから、吊り下げが確実でないとフレコンパックが落下するといった事態や作業者が飛散する肥料を被るといった危険性がある。また、フレコンパックは一旦開封したら、収容している肥料の全量がホッパー等に落下するため、必要量だけを供給することができないという欠点がある。
【０００４】
また、小型袋でも肥料を収容した重量は２０ｋｇあり、特に施肥量の多い作物の場合には１日に約３００〜５００袋もの数を扱うことから、過大な労働力が要求されているし、農作業者の高齢化、少子化が進む中では身体的に大きな負担になっている。
【０００５】
更に、一旦開封したフレコンパック及び小型袋は再使用できないために産業廃棄物として処理しなければならず、処理費が毎年発生することは農産物のコスト削減の障害でもあるし、資源保護の観点からも何らかの解決が必要である。
【０００６】
本考案は上述した従来技術の諸欠点に鑑みなされたもので、粉状或は粒状の肥料を安全かつ迅速に、また作業者に負担を掛けることなく施肥機に移載することができるし、産業廃棄物を排出しないのでコストの削減と資源保護にもなり、またコンテナから必要量を移載することも可能な肥料配送用コンテナ装置を提供することを目的とする。
【課題を解決するための手段】
【０００７】
上述した課題を解決するために構成された請求項１に係る本考案の手段は、移載手段と、該移載手段に接離可能に搭載され、傾転することにより収容した肥料を排出するコンテナとからなり、前記移載手段は基台と、該基台の一側に軸支され、駆動手段により起伏可能な可動支持台と、該可動支持台又は基台の一側に設けたホッパーとから構成し、前記コンテナはコンテナ本体と、該コンテナ本体の一側面に設けられ、前記ホッパーに向けて開口する開閉可能な排出口とから構成したことにある。
【０００８】
また、請求項２に係る本考案の手段は、移載手段と、該移載手段に接離可能に搭載され、傾転することにより収容した肥料を排出するコンテナとからなり、前記移載手段は基台と、該基台の一側に回動可能に軸支したコンテナ支持体と、該コンテナ支持体又は基台の一側に設けたホッパーと、前記基台に配設され、前記コンテナを傾転させる傾転手段とから構成し、前記コンテナはコンテナ本体と、該コンテナ本体の一側面に設けられ、前記ホッパーに向けて開口する開閉可能な排出口とから構成してある。
【０００９】
また、前記基台又はホッパーに、前記コンテナから排出される肥料を外部に排出するコンベア手段を着脱可能に設けるとよい。
【００１０】
更に、前記可動支持台に、前記コンテナから排出する肥料を前記ホッパーに誘導する上方が開放した略三角形状又は筒状の肥料誘導体を設けるとよい。
【００１１】
また、前記基台の前側支持脚に一辺側を回動可能に軸支し、使用時には該基台から前方に突出するようにした略三角形の板からなる転倒防止体を設けるとよい。
【００１２】
また、前記コンテナを構成するコンテナ本体は、パレット部と、該パレット部の外縁に立設した前面部、後面部及び一対の側面部とから上方が開放した箱型に構成し、該前面部、後面部、側面部は下端を前記パレット部に軸支することにより内側に折畳み可能に構成するとよい。
【考案の効果】
【００１３】
本考案は上述の如く構成したから、下記の諸効果を奏する。
（１）肥料を収容したコンテナを移載手段により傾斜させるだけで肥料を施肥機等に移載することができるから、従来のフレコンパックは不要にできて肥料の移載作業を安全に、かつ迅速に効率良く行うことができる。
（２）作業者に身体的負担がないので、高齢化と少子化を迎えた営農家にとって極めて有用である。
（３）コンテナの傾斜角度を制御することにより、必要量だけの肥料を移載することができる。
（４）移載手段を構成する基台に転倒防止体を設けたから、傾転したコンテナの重心移動による転倒を確実に防止し、作業の安全性を確保することができる。
（５）フレコンパック等の産業廃棄物を排出しないので、コストの削減と資源保護に資することができる。
【図面の簡単な説明】
【００１４】
【図１】図１乃至図３は本考案の第１の実施の形態に係り、図１は肥料配送用コンテナ装置の一部を破断した側面図である。
【図２】移載手段の平面図である。
【図３】コンテナを傾斜させた状態を示す側面図である。
【図４】第２の実施の形態に係る肥料配送用コンテナ装置の移載手段の斜視図である。
【図５】図５及び図６は第３の実施の形態に係り、図５は肥料配送用コンテナ装置の側面図である。
【図６】コンテナを傾斜させた状態を示す側面図である。
【考案を実施するための形態】
【００１５】
以下、本考案の実施の形態を図面に基づき詳述する。図１乃至図３は第１の実施の形態を示す。図において、１は移載手段、２は該移載手段１を構成し、鋼材からなる基台を示し、該基台２は前後に長方形の枠体２Ａと、該枠体２Ａの四隅に設けた支持脚２Ｂ、２Ｂ、・・と、該支持脚２Ｂ、２Ｂ間に架設した縦連結材２Ｃ、２Ｃと、前側支持脚２Ｂ、２Ｂ間に架設した前連結材２Ｄと、縦連結材２Ｃ、２Ｃ間に架設した補強材２Ｅ、２Ｅとから構成してある。
【００１６】
３は前記基台２の長手方向一側である前端に設けたホッパーで、該ホッパー３は鋼材で横長四角形に形成した支持枠体３Ａと、上縁が後下りに傾斜し、下側面が下窄まりに傾斜した平面略四角形のホッパー本体３Ｂと、該ホッパー本体３Ｂの下端に形成され、閉止板３Ｃによって開閉可能な排出口３Ｄとから構成してある。
【００１７】
４は基台２上に設けた可動支持台を示す。該可動支持台４は、鋼材によって基台２と略同形の長方形に形成した可動枠体４Ａと、該可動枠体４Ａ内に前後方向に架設した補強材４Ｂ、４Ｂと、可動枠体４Ａの前端に立設した略冂字状のコンテナ受け体４Ｃとから側面略倒置Ｌ字状に構成してある。そして、補強材４Ｂ、４Ｂの下面に突設した連結片４Ｄを基台２の前連結材２Ｄに設けた支持軸４Ｅに連結することにより、可動支持台４は基台２の前端寄りの位置で矢示イ、ロ方向に回動可能に軸支されている。
【００１８】
５は前記コンテナ受け体４Ｃの外側に設けられ、後述するコンテナ１１から排出される肥料をホッパー３に確実に落下させるための肥料誘導体で、該肥料誘導体５は平面略ハ字状に、かつ下側が内向きに傾斜した状態で前方に突出する一対の側板５Ａ、５Ａと、該側板５Ａ、５Ａの先端に下側を内向きに傾斜させて連結した前板５Ｂと、該前板５Ｂに略冂状に形成した流出口５Ｃと、前板５Ｂに対面して内向きに傾斜する後板５Ｄとから構成してある。なお、肥料誘導体は、例えば織布或いは合成樹脂製シートによって筒状に形成し、可動支持台４のコンテナ受け体４Ｃに係着してもよい。
【００１９】
６、６は可動支持台４を起伏させる駆動手段としての一対の油圧シリンダを示し、該一対の油圧シリンダ６、６は基台２の縦連結材２Ｃ、２Ｃ間に架設した受け材６Ａと可動支持台４の補強材４Ｂとの間に連結してある。そして、該油圧シリンダ６が伸縮することにより、可動支持台４は支持軸４Ｅを中心にして矢示イ、ロ方向に起伏し、コンテナ１１を約４０度の角度まで傾斜させるようになっている。
【００２０】
なお、油圧シリンダ６に代えて可逆モータとギアで構成した駆動手段、エアポンプとエアバッグで構成した駆動手段、或はスクリュウジャッキからなる駆動手段を用いてもよい。
【００２１】
７はホッパー３に排出した肥料を分配機側に搬出するためのスクリューコンベアで、該スクリューコンベア７は下端側がホッパー３の排出口３Ｄに連通したガイド筒７Ａと、該ガイド筒７Ａ内に回転可能に設けたスクリュー７Ｂと、ガイド筒７Ａの上端側に設けられ、該スクリュー７Ｂを回転駆動するモータ７Ｃとから構成してある。そして、スクリューコンベア７はホッパー３の支持体３Ａに着脱可能に設けてある。なお、スクリューコンベアに替えてバケットコンベアを用いてもよい。
【００２２】
本実施の形態に係る移載手段１は上述の構成からなるが、次に、可動支持台４に接離可能に搭載するコンテナ１１について説明する。１２は該コンテナ１１を構成するコンテナ本体で、該コンテナ本体１２は長方形のパレット部１２Ａと、該パレット部１２Ａの外縁に立設した前面部１２Ｂ、後面部１２Ｃ（但し、図示せず。）及び一対の側面部１２Ｄ、１２Ｄとから上方が開放した従来のコンテナと同様の箱型に構成してあり、各前面部１２Ｂ、後面部１２Ｃ、側面部１２Ｄは下端をパレット部１２Ａに内側に回動可能に軸支することにより折畳み可能に構成してある。
【００２３】
なお、コンテナ本体１２は鋼材と金網で構成してあるから、コンテナ本体１２に肥料を収容する場合、合成樹脂製シートで箱型に形成した収容袋をコンテナ１１に内装する。収容袋は使い捨ても可能であるが、資源保護の観点から密閉可能な開口部を形成したものにして繰り返し使用可能にするとよい。また、コンテナ本体には、鋼材で形成した箱型枠部内に合成樹脂製パネルを内張りして構成することにより、収容袋を使用しないタイプのものを用いてもよい。
【００２４】
１３は前記コンテナ本体１２の前面部１２Ｂの下部に設けた排出口で、該排出口１３は、前面部１２Ｂに形成した開口部１３Ａと、コンテナ本体１２に上下方向に摺動可能に設けられ、該開口部１３Ａを開閉するシャッター１３Ｂとから構成してある。
【００２５】
本実施の形態に係る肥料配送用コンテナ装置は上述の構成からなるが、次にその作用について説明する。移載手段１はトラックに搭載し、収容袋を内装したコンテナ１１を可動支持台４に搭載する。そして、肥料工場で肥料を充填したコンテナ１１はトラックにより流通経路を経て農家に配送する。
【００２６】
農家では、トラックに搭載した状態でコンテナ１１のホッパー３にスクリューコンベア７を立設し、図示しない分配機に供給する状態に設定する。そして、コンテナ１１のシャッター１３Ｂを引き上げて排出口１３の開口部１３Ａを開放し、収容袋を開封した後、油圧シリンダ６を始動して可動支持台４を序々に起立させ、傾斜するコンテナ１１内から肥料を肥料誘導体５を介してホッパー３に流入させる。ホッパー３内の肥料はスクリューコンベア７によって上昇させ、分配機等に供給する。
【００２７】
上述の如く、本実施の形態によれば、肥料をコンテナ１１によって農家に輸送し、トラックに搭載した状態で可動支持台４により傾斜させたコンテナ１１から肥料をホッパー３に排出し、分配機に移載するようにしたから、従来技術と比較して作業効率を格段に高めることができる。また、従来技術のフレコンパックの使用を無くしたから危険な作業を皆無にすることができる。
【００２８】
更に、従来は肥料の配送毎にフレコンパックを産業廃棄物として処理していたが、フレコンパックの費用及びこれを廃棄処分する費用を実質的に無くすことができるし、資源保護の問題も解決することができる。
【００２９】
次に、図４は第２の実施の形態を示す。なお、本実施の形態及び後述する他の実施の形態において第１の実施の形態の構成要素と同一の構成要素には同一の符号を付して援用し、その詳細は省略する。本実施の形態の特徴とするところは、ホッパー２１を基台２に替えて可動支持台４に設けたことにある。該ホッパー２１は平面略ハ字状に、かつ下側が内向きに傾斜した状態で前方に突出する一対の側板２１Ａ、２１Ａと、該側板２１Ａ、２１Ａの先端に下側が内向きに傾斜して連結した前板２１Ｂと、該前板２１Ｂに略冂状に形成した流出口（但し、図示せず。）とから構成してある。そして、流出口に連通した状態で上記ホッパー２１にスクリューコンベア７が着脱可能に設けてある。
【００３０】
また、２２、２２は基台２の前側支持脚２Ｂ、２Ｂ設けた一対の転倒防止体を示す。該転倒防止体２２、２２は略三角形の金属板からなり、一辺側を支持脚２Ｂに軸支して矢示ハ方向に回動可能に設けることにより、使用時には基台２から前方に突出するようにしてある。
【００３１】
本実施の形態では、第１の実施の形態と異なって基台２の前方にホッパー支持体３Ａを突設していない。そこで、上記転倒防止体２２、２２を基台２に設け、移載作業時には基台２の前方に突出した状態で接地させておくことにより、傾転したコンテナ１１内の肥料が前方に流動して重心が前方に急に移動し、可動支持台４が起き上って基台２が転倒する危険を防止するものである。
【００３２】
本実施の形態によれば、可動支持台４にホッパー２１を設けたから、コンテナ１１からの肥料の供給を速やかに行うことができるし、移載手段の小型化と軽量化を図ることができる。また、基台２に転倒防止体２２、２２を設けたから、コンテナ１１を傾転させても安全性を確保することができる。
【００３３】
次に、図５及び図６は第３の実施の形態を示す。図において、３１は移載手段、３２は該移載手段３１を構成し、基台２の一側に回動可能に軸支したコンテナ支持体を示す。該コンテナ支持体３２は鋼材を四角形の枠状に組んだコンテナ支持部３２Ａと、該コンテナ支持部３２Ａの前後方向に架設した一対の補強材３２Ｂ、３２Ｂ（但し、図示せず。）と、コンテナ支持部３２Ａの先端から直角に起立した略冂字状のコンテナ受け部３２Ｃと、コンテナ支持部３２Ａから下方に突設した連結片３２Ｄとから構成してある。そして、前記補強材３２Ｂ、３２Ｂを基台２に設けた支持軸３２Ｅに連結することにより、可動支持台４と同様に回動可能になっている。
【００３４】
３３は基台２とコンテナ１１との間に配置した傾転手段としてのエアバッグを示す。該エアバッグ３３は上下両面３３Ａ、３３Ｂは平坦面に形成し、側面３３Ｃは先端側３３Ｃ１に対して後端側３３Ｃ２が上下方向に伸縮し、また後面３３Ｄも上下方向に伸縮するように形成することにより、エアバッグ３３は楔状に膨張してコンテナ１１を傾転させるようになっている。そして、エアバッグ３３にはエア供給管３４を介して図示しないエアポンプから加圧空気を吹き込むようにしてある。なお、エアバッグ３３は例えば配送用トラックのブレーキ制動用空気圧縮機によって膨張させる構成にすることができる。
【００３５】
本実施の形態によれば、コンテナ支持体３２及びエアバッグ３３を用いることにより、コンテナ１１を直接傾転させる構成にしたから、第１の実施の形態に係る移載手段１より構成を簡略化できるし、軽量化することができる。また、油圧機器の操作に比べて操作性が容易である。
【００３６】
なお、エアバッグ３３に替えて油圧シリンダを基台２に配設し、コンテナ１１を直接傾転させるようにすることもできる。
【符号の説明】
【００３７】
１、３１  移載手段
２        基台
３、２１  ホッパー
４        可動支持台
６        油圧シリンダ（駆動手段）
７        スクリューコンベア（コンベア手段）
１１      コンテナ
１２      コンテナ本体
１３      排出口
２２      転倒防止体
３２      コンテナ支持体
３３      エアバッグ（傾転手段）